(57)【要約】【課題】吸収後も、側部吸収部を折り返した構造を安定して維持することができ、排液の吸収能及び防漏性能に優れる吸収パッドを提供すること。【解決手段】吸収パッド１は、吸収性コア４０に一対のスリット部４５が形成されている。スリット部４５では、吸収性コア４０の表面シート２側の面を被覆するコアラップシート５と該吸収性コア４０の裏面シート３側の面を被覆するコアラップシート５とが接合されている。吸収性本体１０は、一対のスリット部４５それぞれより外方に位置する部分が、肌対向面側に折り返されて、裏面シート３が肌対向面側に向いた一対の側部吸収部１３と、該一対の側部吸収部１３より非肌対向面側に位置する下方吸収部１１とが形成されている。側部吸収部１３及び下方吸収部１１は、表面シート２どうしが互いに接合された端部接合部７３間に、表面シート２どうしが接合されていない非接合部７０を有している。【選択図】図２
2019141118.tif 000002
【特許請求の範囲】
【請求項１】
長手方向及び該長手方向に直交する幅方向を有する吸収パッドであって、
肌対向面側に位置する表面シートと、非肌対向面側に位置する裏面シートと、両シート間に配置される吸収体とを具備する吸収性本体を備え、
前記吸収体は、吸収性コアと該吸収性コアを被覆するコアラップシートとを備え、
前記吸収性コアに、該吸収性コアを厚み方向に貫通し且つ前記長手方向に延びる一対のスリット部が形成されており、
前記スリット部において、前記吸収性コアの前記表面シート側の面を被覆するコアラップシートと該吸収性コアの前記裏面シート側の面を被覆するコアラップシートとが接合されており、
前記吸収性本体は、一対の前記スリット部それぞれより外方に位置する部分が肌対向面側に折り返されて、前記裏面シートが肌対向面側に向いた一対の側部吸収部と、該一対の側部吸収部より非肌対向面側に位置する下方吸収部とが形成されており、
前記側部吸収部及び前記下方吸収部は、前記表面シートどうしが、前記吸収性本体の長手方向の端部領域に位置する端部接合部において互いに接合されており、且つ前記端部接合部間に前記表面シートどうしが接合されていない非接合部を有している、吸収パッド。
【請求項２】
前記吸収パッドは、前記側部吸収部に一対の防漏カフを有している、請求項１に記載の吸収パッド。
【請求項３】
前記防漏カフは、自由端部と基端部とを備え、該自由端部が該基端部よりも前記幅方向の外方に位置する状態に起立する、請求項２に記載の吸収パッド。
【請求項４】
前記下方吸収部の前記吸収性コアに、該吸収性コアを厚み方向に貫通し、前記長手方向に延びる一対の内側スリット部が形成されている、請求項１〜３の何れか１項に記載の吸収パッド。
【請求項５】
前記吸収パッドの前記長手方向において、前記端部接合部の間に、前記側部吸収部の前記表面シートと前記下方吸収部の前記表面シートとが接合された中間接合部を有し、該中間接合部どうし間又は前記中間接合部と前記端部接合部との間に前記非接合部を有している、請求項１〜４の何れか１項に記載の吸収パッド。
【請求項６】
前記スリット部が、前記長手方向に直列配置された複数の小スリット部からなる、請求項１〜５の何れか１項に記載の吸収パッド。
【請求項７】
前記吸収性コアは繊維材料と吸水性ポリマーとを含んでおり、
前記側部吸収部は、前記下方吸収部に比して、前記吸水性ポリマーの坪量が高い、請求項１〜６の何れか１項に記載の吸収パッド。
【請求項８】
臥床者の身体の下方に配置され、該身体の洗浄に使用した湯水の吸収に使用可能な洗浄用吸収パッドである、請求項１〜７の何れか１項に記載の吸収パッド。
【発明の詳細な説明】
【技術分野】
【０００１】
本発明は、吸収パッドに関する。
【背景技術】
【０００２】
着用者の前後方向に沿う長手方向及び該長手方向に直交する幅方向を有する吸収性物品には、尿等の排泄液が幅方向の両側縁から漏れる横漏れを防止することが望まれている。この横漏れを防止する観点から、吸収体の長手方向の両側部が肌対向面側に折り返された吸収性物品が知られている。例えば、特許文献１には、第１吸収部の横方向の外側に位置する第２吸収部を肌対向面側へ折り曲げ、且つ該第２吸収部の縦方向において離間する両端部が第１吸収部に固定されている着用物品が記載されている。また、特許文献２には、本体部と、該本体部から幅方向外側にそれぞれ延出する一対の延出部を有する吸収体を備え、該吸収体が部分的に折り返された吸収性物品が記載されている。
【０００３】
さらに、本出願人は、先に、長手方向に延びる左右両側域における少なくとも股下部に、吸収体が表面シート上面側に向けて折り返された折り返し部を有する吸収性パッドを提案している（特許文献３）。折り返し部は、吸収体に設けられた折曲誘導部に沿って形成されている。
【先行技術文献】
【特許文献】
【０００４】
【特許文献１】特開２０１６−１０５１６号公報
【特許文献２】特開２０１１−１３６０９４号公報
【特許文献３】特開２０１４−８３１３２号公報
【発明の概要】
【発明が解決しようとする課題】
【０００５】
特許文献１及び２に記載の吸収性物品は、装着時に横漏れを防止し得るよう、吸収体の一部が折り返された折り返し部分を有する形態であるが、排泄液の吸収により膨潤した折り返し部分にヨレや崩れが起き易く、そのヨレや崩れによって生じた身体との隙間から排泄液が漏れることがあった。また、特許文献３に記載の吸収性物品は、排泄液を吸収した後の折り返し部分の形状の維持に改善の余地があった。
【０００６】
したがって、本発明の課題は、前述した従来技術が有する欠点を解消し得る吸収パッドを提供することにある。
【課題を解決するための手段】
【０００７】
本発明は、長手方向及び該長手方向に直交する幅方向を有する吸収パッドであって、肌対向面側に位置する表面シートと、非肌対向面側に位置する裏面シートと、両シート間に配置される吸収体とを具備する吸収性本体を備え、前記吸収体は、吸収性コアと該吸収性コアを被覆するコアラップシートとを備え、前記吸収性コアに、該吸収性コアを厚み方向に貫通し且つ前記長手方向に延びる一対のスリット部が形成されており、前記スリット部において、前記吸収性コアの前記表面シート側の面を被覆するコアラップシートと該吸収性コアの前記裏面シート側の面を被覆するコアラップシートとが接合されており、前記吸収性本体は、一対の前記スリット部それぞれより外方に位置する部分が、肌対向面側に折り返されて、前記裏面シートが肌対向面側に向いた一対の側部吸収部と、該一対の側部吸収部より非肌対向面側に位置する下方吸収部とが形成されており、前記側部吸収部及び前記下方吸収部は、前記表面シートどうしが、前記吸収パッドの長手方向の端部領域に位置する端部接合部において互いに接合されており、且つ前記端部接合部間に前記表面シートどうしが接合されていない非接合部を有している、吸収パッドを提供するものである。
【発明の効果】
【０００８】
本発明によれば、吸収後も、側部吸収部を折り返した構造を安定して維持することができ、排液の吸収能及び防漏性能に優れる吸収パッドが提供される。
【図面の簡単な説明】
【０００９】
【図１】図１は、本発明の吸収パッドの一実施形態の上面側即ち肌対向面側を模式的に示す平面図であり、各部の弾性部材を伸張させて平面状に拡げた展開状態における平面図である。
【図２】図２は、図１のＩ−Ｉ線断面を模式的に示す断面図である。
【図３】図３は、図１に示す吸収パッドにつき、側部吸収部を折り返す前の吸収パッドの断面を模式的に示す断面図である。
【図４】図４は、図３に示す吸収パッドの吸収体を模式的に示す平面図（ａ）、及び他の形態の吸収体を模式的に示す平面図（ｂ）である。
【図５】図５は、本発明に係る吸収性コアのスリット部のパターンを示す平面図である。
【図６】図６は、本発明の吸収パッドの他の実施形態を模式的に示す断面図（図２相当図）である。
【図７】図７（ａ）〜（ｃ）は、図６に示す吸収パッドの吸収性コアのスリット部及び内側スリット部の形成パターンの例を示す平面図である。
【図８】図８は、図１に示す吸収パッドを洗髪に用いた場合の使用状態の説明図である。
【発明を実施するための形態】
【００１０】
以下、本発明の吸収パッドをその好ましい実施形態に基づき図面を参照して説明する。図１〜図５には、本発明の吸収パッドの一実施形態である吸収パッド１が示されている。
【００１１】
本実施形態の吸収パッド１は、図２及び図３に示すように、表面シート２と、裏面シート３と、両シート２，３間に配置される吸収体１５とを具備する吸収性本体１０を備えている。
吸収パッド１は、長手方向Ｘ、及び該長手方向Ｘに直交する幅方向Ｙを有している。
吸収パッド１は、図２に示すように、吸収性本体１０の長手方向Ｘに沿う両側部分が折り返された構造を有している。
【００１２】
図３は、吸収性本体１０の一部を肌対向面側に折り返す前の吸収パッドを示す図である。吸収体１５は、図３に示すように、吸収性コア４０と該吸収性コア４０を被覆するコアラップシート５とを備えている。本実施形態の吸収体１５は、図３に示すように、２枚のコアラップシート５１,５２で被覆されている。具体的には、１枚のコアラップシート５２が、吸収性コア４０の裏面シート３側の全域を被覆し、さらにもう１枚のコアラップシート５１が吸収性コア４０の表面シート側の全域を被覆すると共に、該吸収性コア４０の幅方向Ｙの両側縁から外方に延出し、その延出部が、吸収性コア４０の裏面シート３側に巻き下げられて、他方のコアラップシート５２と重なっている。吸収性コア４０は、１枚のコアラップシートで全体を被覆されていても良い。以下、２枚のコアラップシート５１,５２を纏めてコアラップシート５と表す。
【００１３】
吸収パッド１は肌対向面と非肌対向面を有している。本明細書において、「肌対向面」とは、吸収パッド１の使用時に使用者の身体側、即ち肌側に配される面であり、「非肌対向面」とは、使用時に使用者の肌側とは反対側に向けられる面である。
前記吸収性本体１０において、表面シート２は肌対向面側に位置しており、裏面シート３は非肌対向面側に位置している。
【００１４】
吸収パッド１は、吸収性コア４０を厚み方向Ｚに貫通し且つ長手方向Ｘに延びる一対のスリット部４５が形成されている。スリット部４５は、図４（ａ）に示すように、長手方向Ｘに沿う吸収性コア４０の両側縁から、幅方向Ｙの内方側に離間して形成されている。本実施形態のスリット部４５は、長手方向Ｘにおける長さが、吸収性コア４０の長さＬ１２に比して短い。
スリット部４５において、図２及び図３に示すように、吸収性コア４０の表面シート２側の面を被覆するコアラップシート５１と該吸収性コア４０の裏面シート３側の面を被覆するコアラップシート５２とが接合されている。本実施形態においては、表面シート２側のコアラップシート５１と裏面シート３側のコアラップシート５２どうしが、スリット部４５において対向し、該スリット部４５に設けられたスリット接合部７１において接合している。
【００１５】
本実施形態の吸収体１５は、長手方向Ｘにおける吸収性コア４０の端部の位置と、同方向Ｘにおけるコアラップシート５の端部の位置とが略一致している。吸収体１５は、図４（ｂ）に示すように、吸収性コア４０の端部の位置よりコアラップシート５の端部の位置が外側に配されていても良い。また、幅方向Ｙにおける吸収性コア４０の端部の位置と、同方向Ｙにおけるコアラップシートの端部の位置とが一致している。
【００１６】
吸収性本体１０は、図２に示すように、一対のスリット部４５それぞれより外方に位置する部分が肌対向面側に折り返されて、裏面シート３が肌対向面側に向いた一対の側部吸収部１３と、該一対の側部吸収部１３より非肌対向面側に位置する下方吸収部１１とが形成されている。吸収性本体１０の一部を肌対向面側に折り返す前の状態において、一対の側部吸収部１３は、長手方向Ｘに沿う吸収性本体１０の両側であって、且つ幅方向Ｙにおいてスリット部４５の外方に位置している。下方吸収部１１は、幅方向Ｙにおいて一対の側部吸収部１３の間、即ち一対のスリット部４５間に位置している。
下方吸収部１１における、表面シートを下方表面シート２１、裏面シートを下方裏面シート３１、吸収性コアを下方吸収性コア４１、コアラップシートを下方コアラップシート５５ともいう。また、側部吸収部１３における、表面シートを側部表面シート２３、裏面シートを側部裏面シート３３、吸収性コアを側部吸収性コア４３、コアラップシートを側部コアラップシート５３ともいう。
【００１７】
前述したように、スリット部４５において対向するコアラップシート５１,５２が、該スリット部４５に設けられたスリット接合部７１において接合されていることにより、側部吸収性コア４３及び下方吸収性コア４１はそれぞれ別個にコアラップシート５１,５２で被覆されている。即ち、側部吸収性コア４３は、側部コアラップシート５３によって、下方吸収性コア４１は、下方コアラップシート５５によって、それぞれ被覆されている。このように側部吸収性コア４３及び下方吸収性コア４１が別々にコアラップシート５１,５２で被覆されている態様を、「独立してコアラップシートに包み込まれている」ともいう。
後述するよう、吸収性コア４０に設けられるスリット部４５が、長手方向Ｘに間欠的に配置された複数の小スリット部４５ａからなる場合、長手方向Ｘの小スリット部４５ａ間では、下方吸収性コア４１と側部吸収性コア４３とが連続しており、小スリット部４５ａにおいて対向するコアラップシート５１,５２は、該小スリット部４５ａに設けられたスリット接合部７１において接合されている。この場合、側部吸収性コア４３及び下方吸収部１１は別々にコアラップシート５１,５２で部分的に被覆されている、即ち部分的に独立してコアラップシートに包み込まれている。
【００１８】
本実施形態の表面シート２及び裏面シート３は、平面視において、それぞれ、吸収体１５よりも面積が大きく、吸収体１５の周縁から外方に延出する延出部を有している。図３に示す吸収パッド１において、表面シート２は、吸収体１５の肌対向面の全域を被覆し、さらに吸収体１５の周縁４Ｅの全体から外方に延出し、また裏面シート３は、吸収体１５の非肌対向面の全域を被覆し、さらに吸収体１５の周縁４Ｅの全体から外方に延出しており、これら両シート２，３の周縁４Ｅからの延出した部分どうしが、互いに接合され一体化されて延出部Ｆが形成されている。延出部Ｆは、吸収体１５の周縁４Ｅに沿って配され、吸収体１５を包囲している。表面シート２及び裏面シート３それぞれと吸収体１５との間は接着剤によって接合されていても良い。
【００１９】
側部吸収部１３と下方吸収部１１とは、側部表面シート２３と下方表面シート２１どうしが対向した状態に重なっている。具体的には、非肌対向面側を向いた側部表面シート２３と、肌対向面側を向いた下方表面シート２１の一部とが、吸収パッド１の厚み方向Ｚにおいて対向している。側部吸収部１３及び下方吸収部１１は、吸収性本体１０の長手方向の端部領域Ｅ，Ｅに位置する端部接合部７３において互いに接合されている。端部領域Ｅ，Ｅは、長手方向Ｘにおける吸収性本体の全長Ｌ１を４等分して４領域に区分したときの両端に位置する領域であることが好ましく、長手方向Ｘにおける吸収性本体１０の長手方向Ｘの全長を５等分して５領域に区分したときの両端に位置する領域であることが更に好ましい。
【００２０】
本実施形態の端部接合部７３は、吸収体１５の周縁４Ｅから延出した延出部Ｆにおいて、対向する側部表面シート２３と下方表面シート２１との間に接着剤を塗布することにより形成されている（図１参照）。このように端部接合部７３は、側部吸収部１３及び下方吸収部１１のそれぞれにおける吸収体１５の長手方向の端部から延出した部分どうしが接合されて形成されているが、本発明における端部接合部７３は、側部吸収部１３及び下方吸収部１１それぞれの吸収体１６，１７が存在する部分どうしが接合されて形成されていても良いし、吸収体１５の端部から延出した部分及び吸収体１５が存在する部分の両方に亘って形成されていても良い。
【００２１】
本実施形態の吸収パッド１は、長手方向Ｘにおける端部接合部７３間に、後述する中間接合部７４を有しているが、長手方向Ｘにおける端部接合部７３と中間接合部７４との間において、対向する側部表面シート２３と、下方表面シート２１とは接合されていない。このように、吸収パッド１は、長手方向Ｘにおける端部接合部７３間に表面シートどうしが接合されていない非接合部７０を有している。
本発明の吸収パッド１は、下方吸収部１１の下方裏面シート３１が非肌対向面を形成しており、該下方裏面シート３１を下（非肌対向面側）に、下方表面シート２１を上（肌対向面側）に向けた状態で使用される。
【００２２】
一般的な使い捨ておむつは、排泄液等の排液が該おむつの長手方向の両側縁から漏れる横漏れが生じることがある。また、横漏れを防ぐために吸収性コアを折り返した構造を具備したおむつを使用しても、多量の排液を吸収することで、折り返された吸収性コアが膨潤して崩れてしまい、排液がおむつの外へ漏れることがある。
これに対し、本発明の吸収パッド１において、表面シート２３及び裏面シート３３と共に折り返された側部吸収部１３と、下方吸収部１１とは、端部接合部７３で互いに接合されている。さらにスリット部４５において対向するコアラップシートどうしが接合され、側部吸収性コア４３が独立してコアラップシート５に包み込まれているか、または、側部吸収性コア４３が部分的に独立してコアラップシート５に包み込まれている。これら構成を具備することにより、折り返された側部吸収性コアは吸収後も崩れにくい。即ち、吸収後においても吸収パッド１の側部吸収部を折り返した構造の安定性が確保され、これに起因して吸収パッド１は排液の吸収能、及び防漏性能に優れる。
具体的には、吸収パッド１は、側部吸収部１３と下方吸収部１１とが端部接合部７３において互いに接合し、且つ側部コアラップシート５３により側部吸収性コア４３が被覆されることにより、排液を吸収して膨潤しても折り返された構造を維持し、また、側部吸収性コアが下方吸収性コア側に崩れてしまうことがない。そして、非接合部７０において下方吸収部１１に接合されていない側部吸収部１３が大きく膨潤することができるため、側部吸収部１３に多量の排液を吸収させることができる。
一般に、吸収性コアを折り返した構造の吸収性物品では、折り返された吸収性コアが、吸収性物品に排出された排液に対する立体的な障壁となり、多量の排液を効果的に堰き止めることができる。一方、多量の排液を吸収すると、吸収後の排液が吸収性物品の外部に滲み出して漏出する虞がある。この点、本発明の吸収パッド１は、側部吸収部１３が裏面シート３３と共に折り返されているため、該側部吸収部１３の厚み方向に沿う側部及び肌対向面側には裏面シート３３が配されている。これにより、側部吸収部１３に吸収された排液が該裏面シート３３から外部に滲み出ることを効果的に防ぐことができる。このように、本発明の吸収パッド１は、排液の堰き止め効果及び吸収した排液の漏出防止効果が高いため、防漏性能に優れる。
【００２３】
本実施形態の吸収パッド１は、その幅方向Ｙの両端部、具体的には側部吸収部１３に、一対の防漏カフ６，６を有しており、該防漏カフ６，６は長手方向Ｘに延びるように配されている。各防漏カフ６は、吸収パッド１の長手方向Ｘの端部接合部７３間に亘って連続している。各防漏カフ６は、図２に示すように、側部吸収部１３から近い順に、側部吸収部１３の肌対向面に連接された基端部６ｂと、該基端部６ｂの肌対向面側に連接され、吸収パッド１の自然状態又は使用状態において、吸収パッド１の厚み方向の最も遠い位置に配される自由端６ａとを有し、且つ基端部６ｂと自由端６ａとの間に、長手方向Ｘに伸縮性を有する弾性伸縮部６１を含んで構成されている。斯かる構成の防漏カフ６は、吸収パッド１の自然状態即ち外力がかかっていない状態において、図２に示すように、上方即ち使用者の身体側（肌対向面側）に向かって起立する。
【００２４】
本実施形態の防漏カフ６，６は、図２及び３に示すように、防漏カフ形成用シート６５と、該シート６５に固定された弾性部材とを備えている。防漏カフ形成用シート６５は、排泄液等の滲み出し防止及び防漏カフ６の強度確保の観点から、不織布と液難透過性シートとが積層された複合シートであることが好ましい。また、防漏カフ形成用シート６５は、複数本の弾性部材６２が伸張状態で配されている。防漏カフ６，６は、その基端部６ｂが接着剤や融着などの公知の接合手段によって、側部吸収部１３の延出部Ｆに接合されている。防漏カフ６，６は、吸収パッド１を非肌対向面側を水平面上に載置し、外力を加えず自然に収縮させた状態において、自由端６ａが基端部６ｂより幅方向Ｙの外方に位置する状態に起立することが好ましい（図２参照）。
【００２５】
弾性伸縮部６１には、糸状の弾性部材６２が長手方向Ｘに伸長状態で固定されており、これにより弾性伸縮部６１の長手方向Ｘの両端部間が長手方向Ｘに伸縮性を有している。弾性伸縮部６１に配される弾性部材６２の数は１本でも良いが、本実施形態のように、複数本好ましくは３〜１０本、さらに好ましくは３〜８本が、展開状態（図１参照）における吸収パッド１の幅方向Ｙに間欠配置されていると、弾性伸縮部６１が図１及び図２に示すように面状をなし、この面状部分が使用者の肌に肌触りよく当接し得るため好ましい。なお、「展開状態」とは、吸収パッドの各部の弾性部材を伸張させて平面状に拡げた状態を意味する。
【００２６】
糸状の弾性部材６２の繊度は、６２０ｄｔｅｘ以上１２４０ｄｔｅｘ以下が好ましく、糸状の弾性部材６２の伸張倍率（自然長に対する伸張後の長さの比）は、弾性部材６２の繊度や本数にもよるが１．４倍以上３．０倍以下、好ましくは１．５倍以上２．５倍以下であることが、使用者の肌に肌触りよく当接し得るため好ましい。また、断面が略円形状の糸状の弾性部材６２に変えて、断面が扁平な平ゴムを使用することもできる。
【００２７】
各防漏カフ６においては、長手方向Ｘの両端部を除く部分、より具体的には吸収性本体１０の長手方向における吸収体１５が存する範囲において、弾性伸縮部６１は他の部材に接合されていない。他方、吸収性本体１０の長手方向の端部領域Ｅ，Ｅにおいて、弾性伸縮部６１を含む、防漏カフ形成用シート６５が弾性伸縮部固定部６３を介して他の部材に接合されている。つまり、平面視矩形形状の吸収パッド１の四隅に弾性伸縮部固定部６３が形成されており、該弾性伸縮部固定部６３において、防漏カフ形成用シート６５と側部吸収部１３の側部裏面シート３３とが接合されている。このように、長手方向（長手方向Ｘ）に伸縮性を有する弾性伸縮部６１の両端部が弾性伸縮部固定部６３によって他の部材（側部裏面シート３３）に固定されていることにより、吸収パッド１の自然状態において、その両固定部６３，６３間で非固定の弾性伸縮部６１が長手方向Ｘに収縮し、それによって防漏カフ６が上方に向かって起立し、それに伴って吸収パッド１は肌対向面側に凹状に湾曲し得る。
【００２８】
本実施形態の吸収性コア４０は、前述のように側部吸収部１３を折り返す起点となるスリット部４５を有している。図４（ａ）に示すスリット部４５は、長手方向Ｘに連続して延び、スリット部４５それぞれの長手方向Ｘにおける端部が、長手方向Ｘにおける吸収性コア４０の端部より内方に位置している。スリット部４５は、図５（ａ）に示すように、吸収性コア４０の長手方向の全長に亘って連続していても良い。また、スリット部４５は、図５（ｂ）に示すように、長手方向Ｘに直列配置された複数の小スリット部４５ａからなるものであっても良い。スリット部４５が複数の小スリット部４５ａからなると、下方吸収部１１で吸収した排泄液を小スリット部４５ａ間の吸収性コア４０を通じて側部吸収部１３に導水し吸収性能を高めることができる。また、吸収パッド１の製造の際に、加工中の下方吸収性コア４１と側部吸収性コア４３のヨレやズレを防止し、スリット部４５の形状を安定化させやすい等の利点がある。各スリット部４５を構成する小スリット部４５ａの数は、２以上６以下が好ましく、より好ましくは３以上６以下である。
【００２９】
本実施形態の吸収パッド１は、側部吸収部１３と下方吸収部１１との間にスリット部４５を有しているが、本発明の吸収パッド１は、図６に示すように、下方吸収部１１に他のスリット部を有していても良い。図６に示す吸収性コア４０は、下方吸収性コア４１に、該吸収性コア４１を厚み方向Ｚに貫通し、長手方向Ｘに延びる一対の内側スリット部４６が形成されている。内側スリット部４６を有する吸収パッド１は、内側スリット部４６の外方側と内方側とで吸収性コアが離間されることにより、内側スリット部４６において幅方向Ｙに変形し易い。そのため、装着時に着用者の動作に追随しやすくなり、フィット性を向上させることができる。また、下方吸収性コア４１の幅方向中央部が凹部に変形し、該凹部内に排泄物を保持する等の利点がある。
【００３０】
図６に示す下方吸収部１１は、下方吸収性コア４１の表面シート２３側の面を被覆するコアラップシート５１と、該下方吸収性コア４１の裏面シート３１側の面を被覆するコアラップシート５２とが内側スリット部４６において対向しており、これら対向するコアラップシート５１,５２を接合する内側接合部７６を有している。斯かる構成により、スリット部４５と内側スリット部４６との間の下方吸収性コア４１は、排液等の吸収によって、厚み方向（Ｚ方向）に膨らみやすくなり、側部吸収部１３の存在と相俟って防漏性を高めることができる。さらに、吸収後の吸収体のヨレや形状の壊れの防止性が向上する。
【００３１】
図７（ａ）〜（ｃ）は、吸収性コア４０のスリット部４５及び内側スリット部４６の形成パターンの例を示す図である。図７に示すスリット部４５及び内側スリット部４６は、それぞれ長手方向Ｘに延びており、同方向Ｘにおける端部の位置が一致している。図７（ａ）に示す吸収性コア４０は、該吸収性コア４０の長手方向の全長に亘って連続するスリット部４５及び内側スリット部４６を有している。図７（ｂ）に示す吸収性コア４０は、該吸収性コア４０の長手方向の全長よりも短く、長手方向Ｘに連続するスリット部４５及び内側スリット部４６を有している。図７（ｂ）に示すスリット部４５及び内側スリット部４６は、それぞれの長手方向Ｘにおける端部が、長手方向Ｘにおける吸収性コア４０の端部より内方に位置している。図７（ｃ）に示す吸収性コア４０は、長手方向Ｘに間欠的に配置された複数の小スリット部４５ａからなるスリット部４５と、長手方向Ｘに間欠的に配置された複数の内側小スリット部４６ａからなる内側スリット部４６を有している。スリット部４５と内側スリット部４６とで、長手方向Ｘの一端部又は両端部の位置は同じであっても良く、異なっていても良い。
【００３２】
吸収パッド１の横漏れ防止の観点から、幅方向Ｙにおけるスリット部４５と内側スリット部４６との間の長さＬ８（図７参照）は、同方向Ｙにおける側部吸収性コア４３の長さＬ６（図７参照）に対して、好ましくは１１０％以上、より好ましくは１２０％以上、また好ましくは２５０％以下、より好ましくは２２０％以下、また好ましくは１１０％以上２５０％以下、より好ましくは１２０％以上２２０％以下である。
【００３３】
本実施形態の吸収パッド１は、図１に示すように、長手方向Ｘにおいて端部接合部７３の間に、対向した側部表面シート２３と下方表面シート２１とを接合する中間接合部７４を有している。また、本実施形態の中間接合部７４は長手方向Ｘの両側を非接合部７０に挟まれている。このように、吸収パッド１は、中間接合部７４と端部接合部７３との間に非接合部７０を有している。吸収パッド１は中間接合部７４を有することにより、側部吸収部１３の折り返し構造の安定性が向上する。
【００３４】
中間接合部７４の接合力確保と横漏れ防止の観点から、長手方向Ｘにおける中間接合部７４の長さＬ９（図１参照）は、同方向Ｘにおける非接合部７０の長さＬ７（図１参照）に対して、好ましくは１０％以上、より好ましくは１５％以上、また好ましくは８０％以下、より好ましくは６０％以下、また好ましくは１０％以上８０％以下、より好ましくは１５％以上６０％以下である。長手方向Ｘにおける中間接合部７４の長さＬ９は、１個の中間接合部７４の長手方向Ｘの長さであり、中間接合部７４が複数ある場合、上記の上限値と矛盾しない限り、個々の中間接合部が上記の範囲内であることが好ましい。
【００３５】
上記の効果をより確実に奏させる観点から、吸収性本体１０の長手方向Ｘにおける全長Ｌ１を３等分して３領域に区分したときの中央領域Ｃに中間接合部７４を有していることが好ましく、該全長Ｌ１を５等分して５領域に区分したときの中央領域に中間接合部７４を有していることがより好ましい。
また、側部吸収部１３の折り返し構造の安定性の観点から、吸収パッド１の長手方向Ｘに、中間接合部７４を複数有していることが好ましい。例えば、長手方向Ｘにおける吸収性本体１０の全長Ｌ１を３等分して３領域に区分したときの両端に位置する領域に、１個ずつ中間接合部７４を有していても良い。中間接合部７４を複数有する場合、吸収パッド１は、長手方向Ｘにおける中間接合部７４どうし間に非接合部７０を有している。
さらに、図７（ｃ）に示すように、吸収性コア４０が複数の小スリット部４５ａからなるスリット部４５や、複数の内側小スリット部４６ａからなる内側スリット部４６を有する場合、長手方向Ｘにおける小スリット部４５ａ間又は内側小スリット部４６ａ間に中間接合部７４が配されることが好ましい。また、小スリット部４５ａ及び内側小スリット部４６ａの長さと位置を揃えて、小スリット部４５ａどうし間及び内側小スリット部４６ａどうし間と中間接合部４７の位置とを合わせることが好ましい。
【００３６】
図６に示す吸収パッド１はスリット接合部７１、端部接合部７３、中間接合部７４及び内側接合部７６の各接合部７を有している。これら各接合部７における剥離強度は、４Ｎ／５ｃｍ以上、好ましくは５Ｎ／５ｃｍ以上、さらに好ましくは６Ｎ／５ｃｍ以上である。この剥離強度の測定方法は下記の通りである。
【００３７】
＜剥離強度の測定方法＞
吸収パッドから、接合部７で接合された部分を含む平面視矩形形状ないし正方形形状を切り出して測定サンプルとし、テンシロン引張試験機を用いてその測定サンプルを接合部の接合を解く方向に剥離し、その際の引張強さの最大値を測定する。
スリット接合部７１を例に説明すると、スリット接合部７１から幅方向Ｙにおける側部吸収部１３側に４０ｍｍを基準線とし、該基準線から下方吸収部１１に向かってスリット接合部７１を跨ぎ、長さ１２０ｍｍにわたる直線を一辺（長辺）とし且つ該一片に直交して長手方向Ｘに延びる他の一辺（短辺）の長さが５０ｍｍである、平面視矩形形状の小片を切り出して測定サンプルとする。この測定サンプルについて、コアラップシート５のスリット接合部７１の部分における２枚のシート、即ち吸収性コア４０の表面シート２側の面を被覆するコアラップシート５１と吸収性コア４０の裏面シート３側の面を被覆するコアラップシート５２とを手指で剥離し、その剥離された２枚のシート５１,５２の端部を、テンシロン引張試験機（例えば、株式会社オリエンテック製、商品名「ＲＴＣ−１２１０Ａ」）のチャック間にセットする。そして、剥離速度３００ｍｍ／ｍｉｎで、測定サンプルにおいて互いに接合されている２枚のシートを引き剥がし、その際の引張強さの最大値（材料破壊が起きた場合はその直前の引張強さ）を測定し、その測定値を当該測定対象部位（スリット接合部７１）の剥離強度とする。測定は６回行い（ｎ＝６）、平均値を測定値とする。測定は、気温２０℃、６５％ＲＨの環境下で行う。
【００３８】
剥離強度の調整は、各接合部７を形成する接着剤やヒートシール、エンボスシール、超音波シールなどの接合手段の種類、該接合手段が接着剤の場合はその塗布量、塗布パターンなどを適宜調整することで実施し得る。具体的には、接着剤の場合であれば、排泄物吸収用パッドにおいては塗布の坪量を増やしたり、塗布手段として面積率を高めたり、接着剤の線径を太くすることで剥離強度を高める。また塗布面となる材料の接着性を高めるための処理（例えばコロナ処理等の表面処理）を行うことも可能である。素材を硬くせず、コストを抑える観点から、剥離強度を満たす範囲で接着剤の量を抑えることが好ましい。ヒートシール、超音波シールなど剥離強度に対し融着面積の影響が大きい場合には、その面積率を増やしていくことで、剥離強度を高めることができる。素材を硬くせず、強度を担保する観点から、所望のシールパターンを採用することができる。これらの接合手段を複合的に用いることでも、さらに強度を高めることができる。
【００３９】
スリット接合部７１、端部接合部７３、中間接合部７４、内側接合部７６等の各接合部７を形成するために用いられる接着剤として、ホットメルト接着剤が挙げられる。各接合部７における接着強度の観点から、特に好ましいホットメルト接着剤としては、スチレン−ブタジエン−スチレン系（ＳＢＳ系）、スチレン−イソブチレン−スチレン系（ＳＩＳ系）、スチレン−エチレン−ブチレン−スチレン系（ＳＥＢＳ系）等のスチレン・エラストマー系ホットメルト接着剤；ポリオレフィン系ホットメルトが挙げられ、これらの１種を単独で又は２種以上を組み合わせて用いることができる。
また、接合部７における接着剤の塗布量は、十分な接着力の確保と、塗布されたホットメルト接着剤のしみ出し防止の観点から、好ましくは５ｇ／ｍ２以上５０ｇ／ｍ２以下、さらに好ましくは１０ｇ／ｍ２以上４５ｇ／ｍ２以下である。
また、接着剤で形成された接合部７の塗布パターンは、特に制限されないが例えば、スパイラルスプレー、スロットスプレー、スロットコーター、ビード等の塗布パターン及び、それらを組み合わせた塗布パターンを用いることができる。なお、本実施形態における各接合部７の接合手段はホットメルト接着剤である。
【００４０】
吸収パッド１の展開状態での長手方向Ｘ及び幅方向Ｙの各長さは特に限定されないが、以下の範囲であることが好ましい。
長手方向Ｘにおける吸収性本体１０の長さＬ１（図１参照）は、幅方向Ｙにおける吸収性本体１０の長さＬ２（図１参照）に対して好ましくは１．５倍以上、より好ましくは１．７倍以上、また好ましくは３．０倍以下、より好ましくは２．８倍以下、また好ましくは１．５倍以上３．０倍以下、より好ましくは１．７倍以上２．８倍以下である。
長手方向Ｘにおける吸収性コア４０の長さＬ１２〔図４（ａ）参照〕は、幅方向Ｙにおける吸収性コア４０の長さＬ１１〔図４（ａ）参照〕に対して好ましくは１．６倍以上、より好ましくは１．８倍以上、また好ましくは３．７倍以下、より好ましくは３．５倍以下、また好ましくは１．６倍以上３．７倍以下、より好ましくは１．８倍以上３．５倍以下である。
【００４１】
吸収パッド１の展開状態での大きさや各部材の寸法は特に制限されないが、使い捨ておむつ等の着用物品として用いる場合、以下の範囲であることが好ましい。
長手方向Ｘにおける吸収性コア４０の長さＬ１２〔図４（ａ）参照〕は、好ましく
は４００ｍｍ以上、より好ましくは４４０ｍｍ以上、さらに好ましくは４８０ｍｍ以上であり、また好ましくは８００ｍｍ以下、より好ましくは７７５ｍｍ以下であり、さらに好ましくは７５０ｍｍ以下であり、また好ましくは４００ｍｍ以上８００ｍｍ以下、より好ましくは４４０ｍｍ以上７７５ｍｍ以下、さらに好ましくは４８０ｍｍ以上７５０ｍｍ以下である。
【００４２】
幅方向Ｙにおける吸収性コア４０の長さＬ１１〔図４（ａ）参照〕は、好ましくは２２０ｍｍ以上、より好ましくは２５０ｍｍ以上、さらに好ましくは２８０ｍｍ以上であり、また好ましくは４６０ｍｍ以下、より好ましくは４３０ｍｍ以下、さらに好ましくは４００ｍｍ以下であり、また好ましくは２２０ｍｍ以上４６０ｍｍ以下、より好ましくは２５０ｍｍ以上４３０ｍｍ以下、さらに好ましくは２８０ｍｍ以上４００ｍｍ以下である。
幅方向Ｙにおける側部吸収性コア４３の長さＬ１３〔図４（ａ）参照〕は、好ましくは２５ｍｍ以上、より好ましくは３０ｍｍ以上、さらに好ましくは３５ｍｍ以上であり、また好ましくは８０ｍｍ以下、より好ましくは７５ｍｍ以下、さらに好ましくは７０ｍｍ以下であり、また好ましくは２５ｍｍ以上８０ｍｍ以下、より好ましくは３０ｍｍ以上７５ｍｍ以下、さらに好ましくは３５ｍｍ以上７０ｍｍ以下である。
【００４３】
幅方向Ｙにおけるスリット部４５の長さＬ１５（図４（ａ）参照）は、好ましくは１０ｍｍ以上、より好ましくは１２ｍｍ以上であり、また好ましくは３０ｍｍ以下、より好ましくは２６ｍｍ以下であり、また好ましくは１０ｍｍ以上３０ｍｍ以下、より好ましくは１２ｍｍ以上２６ｍｍ以下である。
【００４４】
吸収パッド１の各部材については、基本的に使い捨ておむつなどの排泄物吸収用物品において従来用いられているものを特に制限なく用いることができる。表面シート２としては、液透過性のシートを用いることができ、例えば、合成繊維又は天然繊維からなる親水性の織布や不織布、多孔性シート、メッシュシート等が挙げられる。裏面シート３としては、液難透過性のシートを用いることができ、例えば、ポリエチレンフィルムやポリプロピレンフィルム等の樹脂製フィルム、撥水不織布と樹脂製フィルムとを熱又は接着剤によってラミネートした複合シート等が挙げられる。ここでいう「液難透過性」には、液の透過を完全に遮断し得る液不透過性と、水蒸気が透過できる程度の透過性を有する性質とが含まれる。裏面シート３の好ましい一例として、使用時に肌対向面から近い順に、樹脂製フィルムと不織布とが順次積層された複合シートが挙げられる。斯かる複合シートは風合いと強度に優れるという特長を有する。
【００４５】
一般に、不織布は繊維が配向する繊維配向方向とそれに直交する直交方向を有しているが、繊維配向方向の方が直交方向よりも引張強度が強い。そのため、吸収パッド１の形成材料（例えば表面シート２、裏面シート３）として不織布を用いる場合には、不織布の繊維配向方向を、吸収パッド１の長手方向Ｘに一致させることで、材料強度が高くなり、材料破壊を抑えることができる。そのためフラップ部の長手方向Ｘの強度をさらに高めることができる。
【００４６】
吸収性コア４０は、繊維材料と吸水性ポリマーを含むことが好ましい。この繊維材料には親水性繊維を含めることができ、該親水性繊維としては、木材パルプの如き本来的に親水性の繊維の他、本来的に疎水性の繊維に親水化処理を施した繊維を用いることもできる。吸収性コア４０の典型的なものは、親水性の繊維材料の集合体で吸水性ポリマーの小片を含有するものが挙げられる。
【００４７】
下方吸収性コア４１の坪量は、吸収容量を確保する観点から、好ましくは２５０ｇ／ｍ２以上、さらに好ましくは３００ｇ／ｍ２以上、そして、好ましくは８００ｇ／ｍ２以下、さらに好ましくは７００ｇ／ｍ２以下である。また、側部吸収性コア４３の坪量は、好ましくは３００ｇ／ｍ２以上、より好ましくは３５０ｇ／ｍ２以上、また好ましくは９００ｇ／ｍ２以下、より好ましくは８００ｇ／ｍ２以下である。
【００４８】
吸収体１５（吸収性コア）に含まれる吸水性ポリマーとしては、一般に粒子状のものが用いられるが、繊維状のものでも良い。粒子状の吸水性ポリマーを用いる場合、その形状は球状、塊状、俵状又は不定形のいずれでも良い。吸水性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。
【００４９】
側部吸収部１３からの漏れを防止するために吸収容量のアップの観点から、側部吸収部１３は、下方吸収部１１に比して、吸水性ポリマーの坪量が高いことが好ましい。この場合、側部吸収部１３の吸水性ポリマーの坪量は、下方吸収部１１の吸水性ポリマーの坪量に対して、好ましくは１１０％以上、より好ましくは１２０％以上、また好ましくは２５０％以下、より好ましくは２００％以下、また好ましくは１１０％以上２５０％以下、より好ましくは１２０％以上２００％以下である。
【００５０】
コアラップシートとしては、表面シート２として使用可能な液透過性シートを用いることができ、典型的には不織布やティシュペーパーである。特に不織布は、ティシュペーパーに比べて湿潤時の引張強度が強く、ヒートシールや接着剤による接着強度も高くすることができる点から好ましい。
不織布としては、各種製法によるものを特に制限なく用いることができ、例えば、エアスルー不織布、スパンボンド不織布、スパンボンド（Ｓ）層とメルトブローン（Ｍ）層を重ね合わせた不織布（いわゆるＳＭＳ、ＳＭＭＳ、ＳＳＭＳなど）を用いることができる。また、親水性の繊維を構成繊維として含む親水性不織布、合成繊維に親水性を付与した繊維を構成繊維として含む親水性不織布であることが好ましい。コアラップシートの坪量は、好ましくは１０ｇ／ｍ２以上、より好ましくは１３ｇ／ｍ２以上、また好ましくは６０ｇ／ｍ２以下、より好ましくは５０ｇ／ｍ２以下、また好ましくは１０ｇ／ｍ２以上６０ｇ／ｍ２以下、より好ましくは１３ｇ／ｍ２以上５０ｇ／ｍ２以下である。
【００５１】
寝たきりの患者や被介護者などの臥床者の頭部、両足、陰部等の身体の洗浄に、使い捨ておむつが使用される場合がある。例えば、臥床者の頭部の洗浄（洗髪）には、洗髪による寝床の濡れや汚れを防止する目的で、吸水性の使い捨ておむつを臥床者の頭部の下に敷く敷物として使用することがある。しかし、敷物として使用されるおむつは、身体の洗浄の用途を考慮したものではないため、洗浄に用いた湯水等がベッドや布団に漏れることがあった。このような湯水等の漏れを防ぐ観点から、吸収性コアの側部を折り返した構造を有するおむつの使用が考えられるが、湯水等の吸収により折り返した構造が崩壊する虞があった。これに対し、本発明の吸収パッド１は、折り返された吸収体側部、即ち側部吸収部１３の側部吸収性コア４３が独立してコアラップシートに包み込まれているため、排泄液等を吸収して側部吸収性コア４３が膨潤しても該吸収性コア４３が崩れず折り返し構造を安定して維持することができる。また、折り返し部（側部吸収部１３）は高さがあるため、洗浄に用いた湯水等の漏れを効果的に防ぐことができる。この折り返し部（側部吸収部１３）は吸液後により高くなるため、吸液後は漏れを防ぐ効果がより一層奏される。従って、本発明の吸収パッド１は、臥床者の身体の下方に配置され、該身体の洗浄に使用した湯水の吸収に使用可能な洗浄用吸収パッドに好適に用いることができる。
【００５２】
例えば、図１に示す吸収パッド１は、図８に示すように、符号１００で示す臥床者の洗髪時に、符号１０１で示す臥床者の頭部１０１の下方に配置され、洗髪に使用した湯水の吸収に使用することができる。このような使用方法において、吸収パッド１は、後頸部のフィット性がよく、高い吸収能を維持することができる。洗浄する身体の部位としては、頭部、胴体、手、足、陰部等が挙げられる。頭部には、頭髪、頭皮、顔面等が含まれる。
また、吸収パッド１は、臥床者の身体の下方に配置され、臥床者の排泄物の受けとめにも使用可能である。例えば、臥床者の臀部の下方に配置され、臥床者の尿を受けとめ且つ吸収に利用することができる。
本発明でいう「臥床者」とは、ベッドや床に敷かれた布団などの寝床で安静にしている状態の人を意味し、この「安静にしている状態」には、寝床に全身を横たえた状態、寝床で上半身だけ起こした状態などが含まれる。
【００５３】
身体の洗浄時に排液される多量の湯水等を吸収させる観点から、吸収パッド１の脱イオン水に対する遠心保持量は、好ましくは２０００ｇ以上、さらに好ましくは３０００ｇ以上、特に好ましくは３５００ｇ以上である。吸収体１５（吸収性コア）に用いる吸水性ポリマーの脱イオン水に対する遠心保持量は、好ましくは２００ｇ／ｇ以上、より好ましくは２５０ｇ／ｇ以上である。また、吸収体１５（吸収性コア）に用いる吸水性ポリマーの生理食塩水に対する遠心保持量は、好ましくは２５ｇ／ｇ以上、より好ましくは３０ｇ／ｇ以上である。
【００５４】
吸水性ポリマーの遠心保持量は、吸水性ポリマーの吸水量（吸水倍率）に関連する特性であり、遠心保持量の値が大きいほど、吸水性ポリマーの吸水量（吸水倍率）が大きい。脱イオン水に対する遠心保持量が前記範囲にある吸水性ポリマーを使用することで、数リットルもの比較的大量の湯水の吸収が要求される身体の洗浄用途に好適な吸収パッド、即ち脱イオン水に対する遠心保持量が２０００ｇ以上の吸収パッドが得られる。吸収パッド及び吸水性ポリマーそれぞれの遠心保持量は下記方法により測定される。
【００５５】
＜吸収パッドの遠心保持量の測定方法＞
ナイロン製の織布（メッシュ開き２５５、三力製作所販売、品名：ナイロン網、規格：２５０×メッシュ巾１１５０ｍｍ×３０ｍ）を幅５０ｃｍ、長さ１００ｃｍの長方形に切断して長手方向中央で二つ折りにし、その二つ折りした織布の周縁の一部をヒートシールして幅５０ｃｍ（内寸４５ｃｍ）、長さ５０ｃｍのナイロン袋を作製する。このナイロン袋の周縁における未ヒートシール部分は、ナイロン袋内に測定試料（吸収パッド）を入れる際に利用される開き部となる。このナイロン袋に測定試料を封入して遠心保持量の測定を行うが、測定試料のサイズがナイロン袋よりも大きく、測定試料を折り曲げたりせずに自然状態のままでその全体をナイロン袋に収容できない場合は、測定試料を複数に分割（例えば、測定試料である吸収パッドを２〜６等分の大きさに分割）し、その複数の分割測定試料それぞれについて遠心保持量の測定を行う。
より具体的には例えば、ナイロン袋よりもサイズの大きい測定試料である吸収パッドを、幅４０ｃｍ以下長さ４０ｃｍ以下の大きさに分割して切り出し、その複数の分割測定試料をそれぞれ、該分割測定試料における一部と他の一部とが重ならないようにナイロン袋に入れた後、ナイロン袋の開き部をヒートシールする。こうして測定試料（分割測定試料）が封入されたナイロン袋を、２５℃に調温した脱イオン水に浸漬させる。浸漬開始から３０分後にナイロン袋を脱イオン水から取り出し、１時間垂直状態に吊るして水切りした後、遠心脱水器（株式会社コクサン製、型式Ｈ−１３０Ｃ特型）を用いて脱水する。脱水条件は、１４３Ｇで１０分間とする。脱水後、試料の重量を測定し、次式に従って目的とする遠心保持量を算出する。
遠心保持量（ｇ）＝ａ’−ｂ−ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。測定は３回行い（ｎ＝３）、平均値を測定値とする。また、測定は２３±２℃、湿度５０±５％で行い、測定の前に測定試料を同環境で２４時間以上保存した上で測定する。
尚、前記したように、測定試料である吸収パッドを分割した場合は、その複数の分割測定試料それぞれについて前記手順により遠心保持量を測定し、それら複数の遠心保持量の合計値を、当該測定試料である吸収パッドの遠心保持量とする。
【００５６】
＜吸水性ポリマーの遠心保持量の測定方法＞
ナイロン製の織布を幅２０ｃｍ、長さ６０ｃｍの長方形に切断して幅方向中央及び長手方向中央でそれぞれ二つ折りにし、その二つ折りした織布の周縁の一部をヒートシールして幅１０ｃｍ（内寸１６ｃｍ）、長さ３０ｃｍのナイロン袋を作製する。測定試料である吸水性ポリマー１．００ｇを精秤し、作製したナイロン袋の開き部から該袋内に入れた後、該開き部をヒートシールして、吸水性ポリマーを該袋内に封入する。その際、ナイロン袋の平面視において吸水性ポリマーがナイロン袋の内部に均一に分布するように、ナイロン袋に吸水性ポリマーを入れる。以上の点以外は前記＜吸収パッドの遠心保持量の測定方法＞と同様であるが、吸水ポリマーの遠心保持量は、次式に従って算出する。
遠心保持量（ｇ／ｇ）＝（ａ’−ｂ−ｃ）／ｃ
前記式中、ａ’は遠心脱水後の測定試料及びナイロン袋の総重量（ｇ）、ｂはナイロン袋の吸水前（乾燥時）の重量（ｇ）、ｃは測定試料の吸水前（乾燥時）の重量（ｇ）を表す。
【００５７】
吸水性ポリマーの遠心保持量の調整は、例えば、吸水性ポリマーの表面架橋度を調整することによって行うことができる。一般に、吸水性ポリマーの表面架橋度が高くなる（表面架橋処理が進む）と、遠心保持量（吸水倍率）は低くなる傾向がある。具体的には例えば、従来の方法によって製造された表面架橋処理済みの吸水性ポリマーに対して、再度表面架橋処理（後架橋処理）を施すことにより、遠心保持量を前記範囲に調整することが可能である。また、表面架橋を行う、行わないに関わらず、吸水性ポリマー全体の架橋度を高めることでも遠心保持量は調整可能である。
【００５８】
また、吸水性ポリマーは、ＪＩＳ  Ｋ７２２４に規定されるボルテックス法に従い測定された、生理食塩水の吸収速度（以下「ボルテックス吸収速度」とも言う。）が、好ましくは１０秒以上、より好ましくは２０秒以上、また好ましくは９０秒以下、より好ましくは８０秒以下である。ボルテックス吸収速度は、吸水性ポリマーの吸液速度の尺度となるものであり、この値が大きいほど吸液速度が遅いことを意味する。生理食塩水のボルテックス吸収速度が５０秒以上である吸水性ポリマーは、一般に、吸液速度が遅いクラスに分類されるものであるところ、そのような吸液速度を有する吸水性ポリマーを用いることで、排泄液等の排液が吸水性ポリマーに吸収される前に吸収性コア４０の平面方向の全域に行き渡るように拡散させて吸収性能を向上することができる。
【００５９】
本発明の吸収パッド１は、臥床者の身体の洗浄に用いる場合、展開状態における吸収パッド１の大きさ及び各部材の寸法は以下の範囲であることが好ましい。
長手方向Ｘにおける吸収性本体１０の長さＬ１（図１参照）は、好ましくは８００ｍｍ以上、より好ましくは８５０ｍｍ以上であり、また好ましくは１５００ｍｍ以下、より好ましくは１４００ｍｍ以下であり、また好ましくは８００ｍｍ以上１５００ｍｍ以下、より好ましくは８５０ｍｍ以上１４００ｍｍ以下である。
また、幅方向Ｙにおける吸収性本体１０の長さＬ２（図１参照）は、好ましくは４００ｍｍ以上、より好ましくは４５０ｍｍ以上であり、また好ましくは８００ｍｍ以下、より好ましくは７５０ｍｍ以下であり、また好ましくは４００ｍｍ以上８００ｍｍ以下、より好ましくは４５０ｍｍ以上７５０ｍｍ以下である。
【００６０】
長手方向Ｘにおける吸収性コア４０の長さＬ１２〔図４（ａ）参照〕は、好ましくは７４０ｍｍ以上、より好ましくは８００ｍｍ以上、また好ましくは１３００ｍｍ以下、より好ましくは１２００ｍｍ以下であり、また好ましくは７４０ｍｍ以上１３００ｍｍ以下、より好ましくは８００ｍｍ以上１２００ｍｍ以下である。
また、幅方向Ｙにおける吸収性コア４０の長さＬ１１〔図４（ａ）参照〕は、好ましくは３６０ｍｍ以上、より好ましくは４００ｍｍ以上であり、また好ましくは８００ｍｍ以下、より好ましくは７５０ｍｍ以下であり、また好ましくは３６０ｍｍ以上８００ｍｍ以下、より好ましくは４００ｍｍ以上７５０ｍｍ以下である。
幅方向Ｙにおける側部吸収性コア４３の長さＬ１３〔図４（ａ）参照〕は、好ましくは３０ｍｍ以上、より好ましくは４０ｍｍ以上、さらに好ましくは５０ｍｍ以上であり、また好ましくは１００ｍｍ以下、より好ましくは９０ｍｍ以下、さらに好ましくは８０ｍｍ以下であり、また好ましくは３０ｍｍ以上１００ｍｍ以下、より好ましくは４０ｍｍ以上９０ｍｍ以下、さらに好ましくは５０ｍｍ以上８０ｍｍ以下である。
【００６１】
幅方向Ｙにおけるスリット部４５の長さＬ１５〔図４（ａ）参照〕は、好ましくは１０ｍｍ以上、より好ましくは１２ｍｍ以上、また好ましくは３０ｍｍ以下、より好ましくは２６ｍｍ以下であり、また好ましくは１０ｍｍ以上３０ｍｍ以下、より好ましくは１２ｍｍ以上２６ｍｍ以下である。
【００６２】
以上、本発明について説明したが、本発明は前述した実施形態に制限されず、本発明の趣旨を逸脱しない範囲で適宜変更可能である。例えば、本発明の吸収パッドの平面視形状は、前記実施形態の吸収パッド１の如き矩形形状に制限されず、楕円形状などの異方性形状の他、正方形形状、円形状などの等方性形状でも良い。また、吸収体１５に一旦吸収された液が表面シート２側へ逆流する不都合を防止する観点から、表面シート２と吸収体１５との間に、不織布などからなる液透過性の液逆流防止層を介在配置しても良い。
また、前述した実施形態については、その使用方法として、身体洗浄用のパッドに用いる場合を説明したが、本発明の吸収パッドは、通常の使い捨ておむつ等として使用されるものであっても良い。
【符号の説明】
【００６３】
１  吸収パッド
１０  吸収性本体
１１  下方吸収部
１３  側部吸収部
１５  吸収体
１６  下方吸収体
１７  側部吸収体
２１  下方表面シート
２３  側部表面シート
３  裏面シート
３１  下方裏面シート
３３  側部裏面シート
４０  吸収性コア
４１  下方吸収性コア
４３  側部吸収性コア
４５  スリット部
４６  内側スリット部
５  コアラップシート
５３  側部コアラップシート
５５  下方コアラップシート
６  防漏カフ
６ａ  自由端
６ｂ  基端部
６１  弾性伸縮部
６２  弾性部材
７  接合部
７１  スリット接合部
７３  端部接合部
７４  中間接合部
Ｘ  長手方向
Ｙ  幅方向
【図１】
2019141118.tif 000003
【図２】
2019141118.tif 000004
【図３】
2019141118.tif 000005
【図４】
2019141118.tif 000006
【図５】
2019141118.tif 000007
【図６】
2019141118.tif 000008
【図７】
2019141118.tif 000009
【図８】
2019141118.tif 000010